(57)【要約】【課題】簡単な構成でキートップの厚みの薄型化が図れる自動復帰型シーソー型電子部品を提供する。【解決手段】揺動自在に軸支されるキートップ１５０と、キートップ１５０を中立位置に弾発する弾発バネ２１０等からなる弾発手段２５０と、キートップ１５０を露出するキートップ露出穴２３１を有する外装ケース２３０と、を具備し、キートップ１５０の揺動によって電気的出力（抵抗値等）が変化する自動復帰型シーソー型電子部品１である。弾発手段２５０はキートップ１５０の側壁１５２のその外方に設置され、且つ弾発手段２５０は外装ケース２３０によって覆われる。【選択図】図８
2009087806.tif 000002
【特許請求の範囲】
【請求項１】
揺動中心軸を中心に揺動自在に軸支されるキートップと、
前記キートップの揺動によって電気的出力を変化する電気的機能部と、
前記キートップを所定位置に弾発復帰させる弾発手段と、
前記キートップを露出するキートップ露出穴を有するケースと、を具備する自動復帰型シーソー型電子部品において、
前記弾発手段は前記キートップの揺動中心軸方向に対して略直交する側の側壁のその外方に設置され、且つこの弾発手段は前記ケースによって覆われることを特徴とする自動復帰型シーソー型電子部品。
【請求項２】
前記弾発手段は、コイル部とコイル部両端から半径方向外方に向けて突出する一対の引出部とを具備し、前記キートップの側壁の外方の前記揺動中心軸近傍位置に設置される弾発バネと、
前記キートップの側壁の外方の前記揺動中心軸近傍位置に設置され前記弾発バネの一対の引出部を弾接する一対の固定側弾接部と、
前記キートップの側壁の前記揺動中心軸の左右両側位置から突出して前記弾発バネの一対の引出部を弾接する一対の揺動側弾接部と、を具備して構成されていることを特徴とする請求項１に記載の自動復帰型シーソー型電子部品。
【発明の詳細な説明】
【技術分野】
【０００１】
本発明は自動復帰型シーソー型電子部品に関するものである。
【背景技術】
【０００２】
従来、例えば携帯機器（ビデオカメラやデジタルカメラ等）のズーム用の操作部品としてシーソー型電子部品が利用されている。この種のシーソー型電子部品は、例えば特許文献１の図１，図４に示すように、揺動自在に軸支されるキートップ（９０）と、キートップ（９０）の揺動によって電気的出力を変化する摺動子（３０）等からなる電気的機能部と、キートップ（９０）を中立位置に弾発するコイルバネ（４０）とを具備し、キートップ（９０）を左右何れかの方向に向けて傾けることで摺動子（３０）を移動して所望の電気的出力を得、キートップ（９０）への押圧を解除することでコイルバネ（４０）の弾発力によってキートップ（９０）を元の中立位置に自動復帰させて電気的出力も元の状態に戻す構成となっている。なお弾発部材としては、上記コイルバネ（ねじりコイルバネ）の他に、特許文献２に示す板バネのように、他の構造の弾発部材が使用される場合もある。
【０００３】
そして上記従来のシーソー型電子部品においては、高さ寸法の小型化等のため、キートップの下面に設けた凹部（収納部）内に電気的機能部やコイルバネ等の弾発部材を収納していた。このためキートップの厚み（キートップの揺動中心軸に平行な方向の幅）が厚くなり、デザイン上の理由等からキートップの厚みを薄くしたいという要望に答えることができなかった。
【特許文献１】実開平６−２６１３０号公報
【特許文献２】特開平１１−１９５３５２号公報
【発明の開示】
【発明が解決しようとする課題】
【０００４】
本発明は上述の点に鑑みてなされたものでありその目的は、簡単な構成でキートップの厚みの薄型化が図れる自動復帰型シーソー型電子部品を提供することにある。
【課題を解決するための手段】
【０００５】
本発明は、キートップがケース（外装ケース等）のキートップ露出穴から露出した状態で操作されることに着目し、以下のように構成することでキートップの厚みの薄型化を図っている。
【０００６】
即ち本願請求項１に記載の発明は、揺動中心軸を中心に揺動自在に軸支されるキートップと、前記キートップの揺動によって電気的出力を変化する電気的機能部と、前記キートップを所定位置に弾発復帰させる弾発手段と、前記キートップを露出するキートップ露出穴を有するケースと、を具備する自動復帰型シーソー型電子部品において、前記弾発手段は前記キートップの揺動中心軸方向に対して略直交する側の側壁のその外方に設置され、且つこの弾発手段は前記ケースによって覆われることを特徴とする自動復帰型シーソー型電子部品にある。
【０００７】
本願請求項２に記載の発明は、前記弾発手段は、コイル部とコイル部両端から半径方向外方に向けて突出する一対の引出部とを具備し、前記キートップの側壁の外方の前記揺動中心軸近傍位置に設置される弾発バネと、前記キートップの側壁の外方の前記揺動中心軸近傍位置に設置され前記弾発バネの一対の引出部を弾接する一対の固定側弾接部と、前記キートップの側壁の前記揺動中心軸の左右両側位置から突出して前記弾発バネの一対の引出部を弾接する一対の揺動側弾接部と、を具備して構成されていることを特徴とする請求項１に記載の自動復帰型シーソー型電子部品にある。
【発明の効果】
【０００８】
請求項１に記載の発明によれば、キートップ内に弾発手段を内蔵しないので、その分キートップの厚み寸法を薄くすることができる。このとき弾発手段はキートップの側壁のその外方に設置されるが、この弾発手段はケースによって覆われるので、外観上何ら問題ない。また弾発手段をキートップの外部に設置するので、弾発手段をキートップの内部に収納する場合に比べ、その組み立てが容易になる。
【０００９】
請求項２に記載の発明によれば、キートップ自体に弾発バネの両引出部を弾接する一対の揺動側弾接部を設けたので、部品点数を増加することなく、簡単な構成で弾発手段を構成することができる。
【発明を実施するための最良の形態】
【００１０】
以下、本発明の実施形態を図面を参照して詳細に説明する。図１は本発明の１実施形態にかかる自動復帰型シーソー型電子部品１（但しケース２３０を除く）を一方の側から見た分解斜視図、図２は自動復帰型シーソー型電子部品１（但しケース２３０を除く）を他方の側から見た分解斜視図である。両図に示すように自動復帰型シーソー型電子部品（以下「シーソー型電子部品」という）１は、基板取付部材（以下「基板取付板」という）１０と、基板取付板１０の一方の面に取り付けられる第１回路基板部４１及び第２回路基板部５１を有する回路基板（以下「フレキシブル回路基板」という）４０と、第１回路基板部４１に対向して設置される摺動子９０を取り付ける揺動体７０と、揺動体７０の背面側に設置される押え部材（以下「押え板」という）１１０と、前記第２回路基板部５１の下側に設置される載置部材（以下「載置板」という）１３０と、前記基板取付板１０や第１回路基板４１等を覆うように設置されるキートップ１５０と、キートップ１５０の外方に設置される弾発バネ２１０を取り付ける固定側弾接部材（弾発バネ取付部材でもある）１８０と、キートップ１５０を覆うケース（以下「外装ケース」という）２３０（図７，図８参照）とを具備して構成されている。以下各構成部品について説明する。なお以下の説明において、「上」とは基板取付板１０やフレキシブル回路基板４０からキートップ１５０側を向く方向をいい、「下」とはその反対方向を言うものとする。
【００１１】
基板取付板１０は合成樹脂（この実施形態ではポリカーボネート樹脂）を平板状で横長の略矩形状に成形して構成されている。そしてその略中央には円形に貫通する小孔からなる軸支穴１１が設けられ、また前記第１回路基板部４１側を向く面（基板取付面）２１の複数ヶ所（６ヶ所）には小突起状の基板取付部１３が設けられ、また基板取付面２１の上部中央と左右両端には柱状に突出する支柱部１５が設けられ、各支柱部１５の先端には小突起状の押え板取付部１７が設けられている。また基板取付板１０の下面の複数ヶ所（５ヶ所）には下方向に向かって突出する小突起状の載置板取付部１９が設けられている。
【００１２】
フレキシブル回路基板４０は１枚の合成樹脂フイルム（この実施形態ではポリエチレンテレフタレートフイルム）上に回路パターンを形成して構成されており、第１回路基板部４１と第２回路基板部５１とを帯状の連結部６５によって連結している。第１回路基板部４１は前記基板取付板１０の基板取付面２１に面接触して載置される外形寸法形状に形成されており、基板取付板１０の軸支穴１１に対向する位置にこれと同一内径の軸挿通穴４３を設け、また基板取付板１０の各基板取付部１３に対向する位置にこれらを挿入する小孔からなる挿入孔４５を設けている。また第１回路基板部４１の摺動子９０側を向く面の前記軸挿通穴４３から等距離離れた１８０°対向する位置には一対の摺接パターン４７ａ，４７ｂが設けられている。これら摺接パターン４７ａ，４７ｂは軸挿通穴４３を中心とする円弧上に設けられており、一方の摺接パターン４７ａは抵抗値の低い導電パターン（例えば銀ペーストの塗布による）、もう一方の摺接パターン４７ｂは抵抗値の高い抵抗体パターン（例えばカーボンペーストの塗布による）で構成されている。
【００１３】
第２回路基板部５１は帯状であって、その複数位置（４ヶ所）に小孔からなる挿通部５３を設けている。またその１側辺（連結部６５を設けた反対側の辺）には１つの切り欠きからなる挿通部５５を設けている。また連結部６５を設けた側の辺には長尺に切り欠いてなる切り欠き部５７を設けている。第１回路基板部４１上の摺接パターン４７ａ，４７ｂへの入出力は、第１，第２回路基板部４１，５１に設けた図示しない回路パターンによって行われる。
【００１４】
揺動体７０は合成樹脂（この実施形態ではＰＯＭ樹脂）を略矩形状に成形して構成されており、その略中央には両面から垂直に突出する柱状の回動軸７１が設けられており、回動軸７１の両端面には、左右両面が平行でその端面が上から下方向に向かって突出していくテーパ面となる係止部７３が設けられている。揺動体７０の前記第１回路基板部４１側を向く面は摺動子取付面７５となっており、摺動子取付面７５の回動軸７１の左右両側には小突起状の摺動子取付部７７が形成されている。
【００１５】
摺動子９０は弾性金属板（この実施形態ではリン青銅板）製であり、略矩形状の摺動子基部９１の上下辺の中央から左右に略コ字状に突出するアーム部９３を設け、両アーム部９３のそれぞれ中央に第１回路基板部４１側に突出するように湾曲する摺接部９５を設けて構成されている。摺動子基部９１の中央には円形に貫通して前記揺動体７０の回動軸７１を挿通する貫通孔９７が設けられ、貫通孔９７の左右両側には前記揺動体７０の摺動子取付部７７を挿通する貫通孔９９が設けられている。
【００１６】
押え板１１０は金属板（この実施形態ではステンレス板）を略矩形状に形成して構成されており、その略中央に前記揺動体７０の回転軸７１を回動自在に挿入・軸支する軸支孔１１１を設け、またその中央上部と左右両端部近傍に小孔からなる挿入取付部１１３を設け、またその左右両下端部から細帯状で根元部分で基板取付板１０側に直角に折れ曲がってさらにその中間部分が下方向にＬ字状に屈曲してなる係止片１１５を設けて構成されている。
【００１７】
載置板１３０は金属板（この実施形態ではステンレス板）製であり、前記第２回路基板部５１を載置するように帯状に形成されている。載置板１３０の前記第２回路基板部５１の各挿通部５３に対向する位置にはこれら挿通部５３と同一形状の貫通する小孔からなる挿通固定部１３１が複数（４ヶ所）設けられ、また前記第２回路基板部５１の挿通部５５に対向する位置にはこの挿通部５５と同一形状の切り欠きからなる挿通固定部１３２が１つ設けられ、また挿通固定部１３２を設けた反対側の辺には、挿通固定部１３３が複数（５ヶ所）設けられている。全ての挿通固定部１３３は、前記第２回路基板部５１に設けた切り欠き部５７内に露出する位置にある。
【００１８】
図３はキートップ１５０を下面側から見た斜視図である。同図及び図１，図２に示すように、キートップ１５０は合成樹脂（この実施形態ではＡＢＳ樹脂）を横長の略矩形状の薄板状に成形して構成されており、その下面には前記基板取付板１０や揺動体７０，押え板１１０等を収納する凹状の収納部１５１を設けている。キートップ１５０の横長方向の中央下部の左右両側には、小判型に貫通する小孔からなる一対の軸係合部１５３が設けられ、一方の（押え板１１０側の）軸係合部１５３の左右両側には、キートップ１５０の下辺からキートップ１５０の外方（下記する揺動中心軸Ｌ方向）に向けて突出する矩形平板状の一対の揺動側弾接部１５５が設けられ、他方の（基板取付板１０側の）軸係合部１５３の部分には、キートップ１５０の外方（揺動中心軸Ｌ方向）に向けて突出する半円筒状の押え部受け部１５７が設けられている。即ち一対の揺動側弾接部１５５は、キートップ１５０の側壁１５２の軸係合部１５３の中心に仮想される揺動中心軸Ｌの左右両側位置から突出しており、この実施形態では揺動中心軸Ｌからの距離が同一の位置に設けられている。両揺動側弾接部１５５の上面の対向する内側部分は弾接部１５６となっている。押え部受け部１５７は軸係合部１５３の部分から揺動中心軸Ｌ方向に向けて外方に突出するように設けられ、上面側がカットされた半円筒形状に形成され、カットされた上面側の凹部が被当接部１５９となっている。
【００１９】
図４は固定側弾接部材１８０の拡大斜視図である。同図及び図１，図２に示すように、固定側弾接部材１８０は合成樹脂（この実施形態ではポリカーボネート樹脂）の一体成形品であり、略平板状の基部１８１の一方の面の中央から先端が下向きとなるようにＬ字状のコイル部係止部１８３を突出して設け、またコイル部係止部１８３の左右両側に所定の隙間を介して一対の固定側弾接部１８５を突出して設けて構成されている。一対の固定側弾接部１８５は水平方向外向きにＬ字状及び逆Ｌ字状の左右対称形状であり、それらの上端面は弾接部１８７となっている。またコイル部係止部１８３及び一対の固定側弾接部１８５の下面からはそれぞれ１本ずつ小突起状の載置板取付部１８９が突出して設けられている。
【００２０】
弾発バネ２１０はバネ線材をコイル状に巻き回してなるコイル部２１１と、コイル部２１１の両端から半径方向外方に向けて直線状に突出する一対の引出部２１３とを具備して構成されている。この弾発バネ２１０は一対の引出部２１３を円周方向に向かって押圧していくことでコイル部２１１のバネ線材をねじって両引出部２１３に円周方向の弾発力を生じさせるねじりコイルバネである。
【００２１】
外装ケース２３０は図７，図８に示すように、合成樹脂（この実施形態ではポリカーボネート樹脂）をキートップ１５０の上部を覆う形状に成形して構成されている。外装ケース２３０には、前記キートップ１５０の上部の部分を挿入して外装ケース２３０の表面側に露出する寸法の長孔からなるスリット状のキートップ露出穴２３１が設けられている。外装ケース２３０の下面のキートップ露出穴２３１の長手方向に向かう一方の辺の中央近傍部分には、図８に示すように、下方向に向かって突出する略平板矩形状でその先端面が円弧状（円柱の外周面形状）の当接部２３３ａとなっている押え部２３３が設けられている。押え部２３３の当接部２３３ａは前記キートップ１５０の押え部受け部１５７の被当接部１５９に当接し、押え部受け部１５７を回動自在に押えるものである。
【００２２】
次にシーソー型電子部品１の製造方法を説明する。まず基板取付板１０の基板取付面２１に第１回路基板部４１を載置し、その際基板取付板１０の各基板取付部１３を第１回路基板部４１の各挿入孔４５に挿入し、各基板取付部１３の先端を熱かしめすることで基板取付板１０に第１回路基板部４１を取り付ける。このとき基板取付板１０の軸支穴１１と第１回路基板部４１の軸挿通穴４３の位置が一致している。次に揺動体７０の摺動子取付面７５に摺動子９０の摺動子基部９１を載置し、その際揺動体７０の回転軸７１と一対の摺動子取付部７７を摺動子基部９１の貫通孔９７と一対の貫通孔９９とにそれぞれ挿入する。そして一対の摺動子取付部７７の先端を熱かしめすることで、揺動体７０に摺動子９０を取り付ける。
【００２３】
次に図４に点線で示すように、固定側弾接部材１８０のコイル部係止部１８３に弾発バネ２１０のコイル部２１１を挿入し、弾発バネ２１０の両引出部２１３を固定側弾接部材１８０の両弾接部１８７に当接しておく。このときコイル部２１１は円周方向に少しねじられ、従って両引出部２１３は弾接部１８７に弾接する。
【００２４】
そして前記摺動子９０を取り付けた揺動体７０を基板取付板１０に取り付けた第１回路基板部４１上に配置し、その際揺動体７０の回動軸７１を第１回路基板４１の軸挿通穴４３と基板取付板１０の軸支穴１１とに回動自在に挿入する。このとき摺動子９０の一対の摺接部９５は摺接パターン４７ａ，４７ｂに当接する。なおこれら摺動子９０及び摺接パターン４７ａ，４７ｂによって電気的機能部が構成されている。次に揺動体７０の摺動子９０を取り付けた面の反対側の面に押え板１１０を配置し、その際揺動体７０の回動軸７１を押え板１１０の軸支孔１１１に回動自在に挿入すると共に、基板取付板１０の各押え板取付部１７を押え板１１０の各挿入取付部１１３に挿入し、各押え板取付部１７の先端を熱かしめすることで揺動体７０及び摺動子９０を基板取付板１０と押え板１１０の間に揺動自在に保持する。このとき揺動体７０の回動軸７１の両端に設けた係止部７３は、基板取付板１０と押え板１１０の両外側面から突出している。
【００２５】
次に載置板１３０上に第２回路基板部５１を載置し、その際各挿通固定部１３１と挿通部５３との位置、及び挿通固定部１３２と挿通部５５との位置を合わせ、また第２回路基板部５１の切り欠き部５７内に複数（５ヶ所）の挿通固定部１３３の全てを露出させる。そしてこの第２回路基板部５１上に前記弾発バネ２１０を取り付けた固定側弾接部材１８０を載置し、その際固定側弾接部材１８０に設けた複数（３つ）の載置板取付部１８９を第２回路基板部５１と載置板１３０にそれぞれ設けた中央２つの挿通部５３と挿通固定部１３１、及び１つの挿通部５５と挿通固定部１３２に挿入し、載置板１３０の下面に突出する各載置板取付部１８９の先端を熱かしめすることで載置板１３０及び第２回路基板部５１上に固定側弾接部材１８０を取り付ける。
【００２６】
次にフレキシブル回路基板４０の連結部６５の部分を略直角に折り曲げることで、第１回路基板部４１及びこれに取り付いている基板取付板１０や押え板１１０等を第２回路基板部５１及び載置板１３０に対して略垂直に立設して設置し、その際基板取付板１０の下面の複数（５つ）の載置板取付部１９を、第２回路基板部５１の切り欠き部５７及び左右両端の挿通部５３を介して載置板１３０の中央３つの挿通固定部１３３と左右両端の挿通固定部１３１とに挿入し、載置板１３０の下面から突出する各載置板取付部１９の先端を熱かしめして取り付ける。同時に押え板１１０の一対の係止片１１５を第２回路基板部５１の切り欠き部５７を介して載置板１３０の左右両端の挿通固定部１３３に挿入し、載置板１３０の下面から突出する各係止片１１５の先端を載置板１３０に沿うように折り曲げることで取り付け、図５，図６に示す状態とする。この実施形態の場合、基板取付板１０を載置板取付部１９によって第２回路基板部５１及び載置板１３０に取り付けるだけでなく、押え板１１０を係止片１１５によって第２回路基板部５１及び載置板１３０に取り付けているので、その取り付けが強固且つ確実に行える。
【００２７】
次に図５，図６に示すように、組み立てて第２回路基板部５１上に立設した基板取付板１０及び揺動体７０及び押え板１１０等の上に、キートップ１５０を設置し、その際キートップ１５０の収納部１５１内に基板取付板１０及び揺動体７０及び押え板１１０等を収納する。その際同時に弾発バネ２１０の両引出部２１３をそれぞれキートップ１５０の両揺動側弾接部１５５の上面側の弾接部１５６に係止し、且つ揺動体７０の両係止部７３にキートップ１５０の両軸係合部１５３をそれぞれスナップイン係合し、図７，図８に示す状態とする。
【００２８】
そして図７，図８に示すように、前記キートップ１５０の上に外装ケース２３０を被せ、その際外装ケース２３０のキートップ露出穴２３１からキートップ１５０の上部の部分を外装ケース２３０の上面側に露出（突出）する。外装ケース２３０は図示しない固定部によって載置板１３０に固定される。このとき図８に示す外装ケース２３０の押え部２３３の当接部２３３ａは、前記キートップ１５０の押え部受け部１５７の被当接部１５９に当接し、押え部受け部１５７を回動自在に上から押える。これによって図９に示すシーソー型電子部品１が完成する。
【００２９】
以上のようにして構成されたシーソー型電子部品１において、弾発バネ２１０の両引出部２１３は、固定側弾接部材１８０の両弾接部１８７と、キートップ１５０の両揺動側弾接部１５５の弾接部１５６に同時に弾接し、これによってキートップ１５０は中立位置に保持されている。そしてキートップ１５０上面の左右何れかの部分を押圧すれば、キートップ１５０及びこれと一体の揺動体７０及び摺動子９０が押圧した方向に一体に揺動し、摺動子９０の摺接部９５が摺接パターン４７ａ，４７ｂ上を摺動し、その電気的出力を変化する。このとき押圧して下降する側の弾発バネ２１０の引出部２１３は固定側弾接部材１８０の弾接部１８７に当接して静止したまま、押圧によって上昇する側の弾発バネ２１０の引出部２１３はキートップ１５０の揺動側弾接部１５５の弾接部１５６によって上方向に引き上げられる。これによって弾発バネ２１０のコイル部２１１はねじられて、前記キートップ１５０に中立位置への弾性復帰力が働く。従ってキートップ１５０への押圧を解除すれば、キートップ１５０は元の中立位置に揺動して自動復帰し、前記電気的出力も元の状態に戻る。キートップ１５０を逆方向に揺動させた場合も同様に動作する。
【００３０】
ところで上記シーソー型電子部品１においては図１に示すように、固定側弾接部材１８０の一対の固定側弾接部１８５と、弾発バネ２１０と、キートップ１５０の一対の揺動側弾接部１５５とによって弾発手段２５０が構成されている。即ち詳細に説明すれば、弾発手段２５０は、コイル部２１１とコイル部２１１両端から半径方向外方に向けて突出する一対の引出部２１３とを具備しキートップ１５０の側壁１５２の外方の揺動中心軸Ｌ近傍位置に設置される弾発バネ２１０と、キートップ１５０の側壁１５２の外方の揺動中心軸Ｌ近傍位置に設置され弾発バネ２１０の一対の引出部２１３を弾接する一対の固定側弾接部１８５と、キートップ１５０の側壁１５２の揺動中心軸Ｌの左右両側位置から突出して弾発バネ２１０の一対の引出部２１３を弾接する一対の揺動側弾接部１５５と、を具備して構成されている。
【００３１】
そしてこの弾発手段２５０は、キートップ１５０の揺動中心軸Ｌ方向に対して略直交する側の側壁１５２のその外方に設置され、且つこの弾発手段２５０は外装ケース２３０によって覆われている。このようにこのシーソー型電子部品１においては、キートップ１５０内に弾発手段２５０を内蔵しないので、その分キートップ１５０の厚み寸法（揺動中心軸Ｌ方向に向かう幅寸法）を薄くすることができる。このとき弾発手段２５０はキートップ１５０の側壁１５２の外方に設置されるが、前述のように弾発手段２５０は外装ケース２３０によって覆われるので、外観上何ら問題ない。また弾発手段２５０をキートップ１５０の外部に設置するので、弾発手段２５０をキートップ１５０の内部に収納する場合に比べ、その組み立てが容易になる。
【００３２】
またこのシーソー型電子部品１の場合、キートップ１５０に収納部１５１を設けることで、電気的機能部である摺動子９０及び摺接パターン４７ａ，４７ｂ（及びそれ以外の第２回路基板部５１上に立設している各部品）をキートップ１５０内に内包しているが、このように構成することにより、シーソー型電子部品１の高さ寸法の小型化も図られている。
【００３３】
また上記シーソー型電子部品１によれば、キートップ１５０自体に弾発バネ２１０の両引出部２１３を弾接する一対の揺動側弾接部１５５を設けたので、部品点数を増加することなく、簡単な構成で弾発手段２５０を構成することができる。
【００３４】
また上記シーソー型電子部品１において、キートップ１５０に設けた押え部受け部１５７に外装ケース２３０の押え部２３３の当接部２３３ａを当接したのは以下の理由による。即ちキートップ１５０の揺動側弾接部１５５を設けた側の側壁１５２は、弾発バネ２１０の引出部２１３が揺動側弾接部１５５上面の弾接部１５６に弾接することによって常に下方向（外装ケース２３０の下面から離れる方向）に弾発されている。このためその反対側の側壁１５２は上方向に持ち上がろうとし、これを放置するとキートップ１５０は厚み方向に少し傾いてしまい、直立状態を維持できない。そこでこの実施形態においては、キートップ１５０の持ち上がろうとする側壁１５２に設けた押え部受け部１５７に外装ケース２３０の押え部２３３の当接部２３３ａを当接してこれが持ち上がるのを阻止し、これによってキートップ１５０の姿勢が確実に所望の方向を向く（直立状態となる）ようにしたのである。
【００３５】
また固定側弾接部材１８０は、基部１８１にコイル部係止部１８３を設けてその両側に一対の固定側弾接部１８５を設けるだけの構造なので、構造が簡単で容易に小型化が図れるばかりか、両引出部２１３の弾接機能と、弾発バネ２１０の取り付け機能とを容易に兼用させることができ、好適である。
【００３６】
また上記基板取付板１０の基板取付面２１の反対側の面の軸支穴１１の下部には、図２に示すように、小突起状の支え部２５が設けられている。この支え部２５は図７に示すように、その真上にキートップ１５０の押え部受け部１５７が位置する。これによってキートップ１５０を無理に強い力で下方向に押圧した場合、押え部受け部１５７の下面が支え部２５上面に当接し、これを支える。従って回動軸７１の係止部７３がキートップ１５０の軸係合部１５３から外れることはなく、キートップ１５０の係止部７３による係止が確実となる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では固定側弾接部１８５を設けた固定側弾接部材１８０が弾発バネ２１０（そのコイル部２１１）を取り付ける弾発バネ取付部材を兼用しているが、弾発バネ２１０を取り付ける部材と固定側弾接部１８５を設ける固定側弾接部材を別々の部材で構成しても良い。例えば固定側弾接部材１８０のコイル部係止部１８３を省略して別の固定側（静止側）の部材にコイル部係止部に相当する部材を設けても良いし、またキートップ１５０側（揺動する側）にコイル部係止部に相当する部材を設けてキートップ１５０側に弾発バネ２１０を取り付けても良い。また弾発バネは板バネや圧縮コイルバネや引っ張りコイルバネ等の他の構造の弾発バネであっても良い。
【００３８】
またシーソー型電子部品を構成する各構成部品の材質は上記実施形態に示した材質に限定されず、他の各種材質のものを用いても良い。またキートップを揺動自在に軸支する構造も種々の変更が可能である。また電気的機能部を構成する摺動子や摺接パターンの形状・構造等も種々の変形が可能であり、例えば摺接パターンはスイッチパターンでも良いし、摺動子と摺接パターンを用いない構造の電気的機能部であっても良い。要は揺動体の揺動によって電気的出力が変化する構造であればどのような構造であってもよい。弾発手段の構造も上記実施形態に限定されず、要はキートップを所定位置（中立位置以外の所定位置を含む）に弾発復帰させるものであればどのような構造の弾発手段であっても良い。
【図面の簡単な説明】
【００３９】
【図１】シーソー型電子部品１（但し外装ケース２３０を除く）を一方の側から見た分解斜視図である。
【図２】シーソー型電子部品１（但し外装ケース２３０を除く）を他方の側から見た分解斜視図である。
【図３】キートップ１５０を下面側から見た斜視図である。
【図４】固定側弾接部材１８０の拡大斜視図である。
【図５】シーソー型電子部品１の組立方法説明図である。
【図６】シーソー型電子部品１の組立方法説明図である。
【図７】シーソー型電子部品１の組立方法説明図である。
【図８】シーソー型電子部品１の組立方法説明図である。
【図９】シーソー型電子部品１の斜視図である。
【符号の説明】
【００４０】
１  シーソー型電子部品（自動復帰型シーソー型電子部品）
１０  基板取付板（基板取付部材）
４０  フレキシブル回路基板（回路基板）
４１  第１回路基板部
４７ａ，４７ｂ  摺接パターン（電気的機能部）
５１  第２回路基板部
７０  揺動体
９０  摺動子（電気的機能部）
１１０  押え板（押え部材）
１３０  載置板（載置部材）
１５０  キートップ
Ｌ  揺動中心軸
１５２  側壁
１５５  揺動側弾接部（弾発手段）
１８０  固定側弾接部材（弾発バネ取付部材）
１８５  固定側弾接部（弾発手段）
２１０  弾発バネ（弾発手段）
２１１  コイル部
２１３  引出部
２３０  外装ケース（ケース）
２３１  キートップ露出穴
２５０  弾発手段
【図１】
2009087806.tif 000003
【図２】
2009087806.tif 000004
【図３】
2009087806.tif 000005
【図４】
2009087806.tif 000006
【図５】
2009087806.tif 000007
【図６】
2009087806.tif 000008
【図７】
2009087806.tif 000009
【図８】
2009087806.tif 000010
【図９】
2009087806.tif 000011